(57)【要約】  無線アクセスネットワーク（ＲＡＮ）においてユーザ装置を中断することに関連する通信を処理するためのシステム、方法、および装置が開示される。一例の方法は、接続状態で動作しているユーザ装置によって、無線リソース制御（ＲＲＣ）リリースメッセージを受信することを含む。ユーザ装置はＲＲＣリリースメッセージ内の指示に基づいて、ユーザ装置を非アクティブ状態にサスペンドするか、アイドル状態にするかを決定し、その指示は、ＲＲＣリリースメッセージ内のサスペンドコンフィギュレーションフィールドを含む。インジケーションが非アクティブ状態にサスペンドすべきであるという決定に応答して、ユーザ装置は、非アクティブ状態に遷移する。【選択図】図１
2021520680.tif 000002
【特許請求の範囲】
【請求項１】
無線アクセスネットワーク（ＲＡＮ）において１つ以上のネットワークノード（５６０）からの通信を処理する方法であって、
接続状態で動作しているユーザ装置（５１０）によって、ネットワークノードから無線リソース制御（ＲＲＣ）リリースメッセージを受信すること（１００、２００、３０２）と、
前記ＲＲＣリリースメッセージ内の指示であって、前記ＲＲＣリリースメッセージ内のサスペンドコンフィギュレーションフィールドの存在または不在を含む前記指示に基づいて、ユーザ装置を非アクティブ状態またはアイドル状態にサスペンドすべきかどうかを決定すること（１０２、２０２、３０４）と、
前記指示が非アクティブ状態にサスペンドするものであると判定することに応じて、前記ユーザ装置を前記非アクティブ状態へと遷移させること（１０８、２０８、３０６）と、
を含むことを特徴とする方法。
【請求項２】
請求項１に記載の方法であって、前記ユーザ装置を前記非アクティブ状態へとサスペンドするための前記指示は、前記ＲＲＣリリースメッセージ内のサスペンドコンフィギュレーションフィールドの前記存在を含むことを特徴とする方法。
【請求項３】
請求項１に記載の方法であって、前記ユーザ装置を前記アイドル状態へとサスペンドする前記指示は、前記ＲＲＣリリースメッセージ内にサスペンドコンフィギュレーションフィールドの前記不在を含むことを特徴とする方法。
【請求項４】
請求項１に記載の方法であって、前記サスペンドコンフィギュレーションフィールドは、前記非アクティブ状態に対応するコンフィギュレーションを指示することを特徴とする方法。
【請求項５】
請求項１に記載の方法であって、
前記サスペンドコンフィギュレーションフィールドによって指示されるサスペンドコンフィギュレーションに対応するデルタシグナリングを適用することをさらに含むことを特徴とする方法。
【請求項６】
請求項５に記載の方法であって、デルタシグナリングを適用することが、
前記サスペンドコンフィギュレーションフィールドによって指示される、変更されたサスペンドコンフィギュレーション情報を受信することと、
前記ユーザ装置に以前に格納されたサスペンドコンフィギュレーション情報から変更されていないサスペンドコンフィギュレーション情報へアクセスすることと、
を含むことを特徴とする方法。
【請求項７】
請求項５に記載の方法であって、前記サスペンドコンフィギュレーションがＲＡＮ通知エリア（ＲＮＡ）情報を含むことを特徴とする方法。
【請求項８】
請求項１に記載の方法であって、前記非アクティブ状態への前記ユーザ装置の前記遷移は、ロングタームエボリューション（ＬＴＥ）ネットワークから５Ｇコアネットワークへの前記ユーザ装置の接続中に実行されることを特徴とする方法。
【請求項９】
無線アクセスネットワーク（ＲＡＮ）において通信を提供するためにネットワークノード（５６０）によって実行される方法であって、
接続状態で動作しているユーザ装置（５１０）に無線リソース制御（ＲＲＣ）メッセージを提供すること（４０２）と、
前記ＲＲＣリリースメッセージ内の指示であって、前記ＲＲＣリリースメッセージ内のサスペンドコンフィギュレーションフィールドの存在または不在を含む前記指示に基づいて、前記ユーザ装置の非アクティブ状態またはアイドル状態へのサスペンドをトリガすること（４０４）と、
非アクティブ状態へサスペンドするための前記指示に応答して、前記ユーザ装置を前記非アクティブ状態に遷移させること（４０６）と、
を含むことを特徴とする方法。
【請求項１０】
請求項９に記載の方法であって、前記ユーザ装置を前記非アクティブ状態にサスペンドするための前記指示は、前記ＲＲＣリリースメッセージ内のサスペンドコンフィギュレーションフィールドの前記存在を含むことを特徴とする方法。
【請求項１１】
請求項９に記載の方法であって、前記ユーザ装置を前記アイドル状態へサスペンドするための前記指示は、前記ＲＲＣリリースメッセージ内にサスペンドコンフィギュレーションフィールドの前記不在を含むことを特徴とする方法。
【請求項１２】
請求項９に記載の方法であって、前記サスペンドコンフィギュレーションフィールドは、前記非アクティブ状態に対応するコンフィギュレーションを指示することを特徴とする方法。
【請求項１３】
請求項９に記載の方法であって、
前記サスペンドコンフィギュレーションフィールドによって指示されるサスペンドコンフィギュレーションに対応するデルタシグナリングを適用することをさらに含むことを特徴とする方法。
【請求項１４】
請求項１３に記載の方法であって、デルタシグナリングを適用することは、
前記サスペンドコンフィギュレーションフィールドによって指示される、変更されたサスペンドコンフィギュレーション情報を提供することをさらに含み、前記ユーザ装置は前記ユーザ装置に以前に格納されたサスペンドコンフィギュレーション情報から変更されていないサスペンドコンフィギュレーション情報へアクセスすることを特徴とする方法。
【請求項１５】
請求項１３に記載の方法であって、前記サスペンドコンフィギュレーションは、ＲＡＮ通知エリア（ＲＮＡ）情報を含むことを特徴とする方法。
【請求項１６】
請求項９に記載の方法であって、前記ＲＲＣ＿ＩＮＡＣＴＩＶＥ状態への前記ユーザ装置の前記遷移は、ロングタームエボリューション（ＬＴＥ）ネットワークから５Ｇコアネットワークへの前記ユーザ装置の接続中に実行されることを特徴とする方法。
【請求項１７】
コンピュータ可読プログラムコードを記憶する非一時的コンピュータ可読媒体（５３０）を備えるコンピュータプログラム製品であって、前記コンピュータ可読プログラムコードは、処理回路（５２０）によって実行されると請求項１から８のいずれか１項に記載の方法を実行するように動作可能であることを特徴とするコンピュータプログラム製品。
【請求項１８】
コンピュータ可読プログラムコードを記憶する非一時的コンピュータ可読媒体（５８０）を備えるコンピュータプログラム製品であって、前記コンピュータ可読プログラムコードは、処理回路（５７０）によって実行されると請求項８から１６のいずれか１項に記載の方法を実行するように動作可能であることを特徴とするコンピュータプログラム製品。
【請求項１９】
無線アクセスネットワーク（ＲＡＮ）における通信を処理するためのシステムであって、
請求項１から請求項８のいずれか１項に記載の方法を実行するように構成された処理回路（５２０）を含む無線装置（５１０）と、
無線装置（５１０）に通信可能に結合され、請求項８から１６のいずれか１項に記載の方法を実行するように構成された処理回路（５７０）を含むネットワークノード（５６０）と、
を含むことを特徴とするシステム。
【発明の詳細な説明】
【技術分野】
【０００１】
本開示は一般に、セルラーネットワークなどにおける通信に関し、より詳細には、無線アクセスネットワーク（ＲＡＮ）においてユーザ装置をサスペンドすることに対応する通信を処理するための方法、ユーザ装置、およびネットワークノードに関する。
【背景技術】
【０００２】
新しい５Ｇ規格では、５Ｇおよびさまざまなステートマシンのためのシステムおよびアーキテクチャが説明される。「ステートマシン」の一例は、３ＧＰＰ  ＴＳ２３．５０１に記載されている接続管理状態モデルまたはＣＭ状態モデルである。一般に、接続管理は、ＵＥとコアネットワークノードとの間のシグナリング接続を確立およびリリースするための機能を含む。５Ｇの場合、このコアネットワークノードはアクセスおよびモビリティ管理機能（ＡＭＦ）と呼ばれる。（ＵＥとＡＭＦとの間の）Ｎ１インタフェースを介するシグナリング接続は、ＵＥとコアネットワークとの間の非アクセスストラタム（ＮＡＳ）でのシグナリング交換を可能にするために使用される。これは、ＵＥとＡＮとの間のＡＮ（アクセスノード）シグナリングコネクションと、ＡＮとＡＭＦとの間のＮ２コネクションとの両方を備える。
【０００３】
５Ｇアーキテクチャでは、ＣＭ−ＩＤＬＥとＣＭ−ＣＯＮＮＥＣＴＥＤの２つのＣＭ−ｓｔａｔｅが定義されている。ＣＭ−ＩＤＬＥ内のＵＥはＮ１を介してＡＭＦに確立されたＮＡＳシグナリング接続を有さず、このＣＭ状態ではＵＥがセル選択／再選択およびＰＬＭＮ選択を実行する。さらに、アイドル状態にあるＵＥのためのＡＮシグナリング接続またはＮ２／Ｎ３接続は存在しない。ＵＥがネットワークおよびＣＭ−ＩＤＬＥに登録されている場合、ネットワークからのページングメッセージをリッスンして応答することがある。この手段、ＣＭ−ＩＤＬＥではＵＥは引き続き到達可能である。ユーザ／ＵＥによって開始された場合、ＵＥはサービス要求手続きを実行することもできる。
【０００４】
ＣＭ−ＣＯＮＮＥＣＴＥＤのＵＥはＵＥとＡＮとの間にＡＮシグナリング接続を確立したＵＥであり、３ＧＰＰアクセスを介してＲＲＣ＿ＣＯＮＮＥＣＴＥＤ状態に入った。このコネクションを介して、ＵＥは初期ＮＡＳメッセージ（サービス要求など）を送信でき、このメッセージはＡＭＦでＣＭ−ＩＤＬＥからＣＭ−ＣＯＮＮＥＣＴＥＤへの移行を開始する。ＣＭ−ＣＯＮＮＥＣＴＥＤは、ＡＮとＡＭＦとの間でＮ２コネクションを使用することも理解される。初期Ｎ２メッセージ（例えば、Ｎ２初期ＵＥメッセージ）の受信は、ＣＭ−ＩＤＬＥからＣＭ−ＣＯＮＮＥＣＴＥＤ状態へのＡＭＦの遷移を開始する。
【０００５】
ＣＭ−ＣＯＮＮＥＣＴＥＤ状態では、ＵＥはデータを送信でき、ＡＮシグナリング接続がリリースされるたびにＣＭ−ＩＤＬＥに入る準備ができている。論理Ｎ１シグナリング接続とＮ３ユーザプレーン接続がリリースされると、ＡＭＦはＣＭ−ＩＤＬＥに入る。
【０００６】
ＡＭＦと同様に、３８．３３１のＲＲＣ仕様書に詳細に記載されている状態モデルもＡＮ、すなわちアクセスネットワークに存在する。「ｇＮＢ」は一般にアクセスネットワークノードを指すが、ｎｇ−ｅＮＢおよびｅＮＢノードタイプを含む他のノードタイプも意図され、したがって、「ｇＮＢ」という用語は単なる例として考慮されるべきである。ＡＳ（アクセスストラタム）の観点からは、ＵＥはＲＲＣ＿ＣＯＮＮＥＣＴＥＤ、ＲＲＣ＿ＩＮＡＣＴＩＶＥ、ＲＲＣ＿ＩＤＬＥのいずれかの状態になる。異なるステートマシン（ＡＮ内のものとＡＭＦ内のもの）間のマッピングはＣＭ−ＣＯＮＮＥＣＴＥＤがＲＲＣ＿ＣＯＮＮＥＣＴＥＤまたはＲＲＣ＿ＩＮＡＣＴＩＶＥのいずれかにマッピングできるのに対し、ＣＭ−ＩＤＬＥは常にＲＲＣ＿ＩＤＬＥにマッピングされる。
【０００７】
ＲＲＣ接続が確立されると、ＵＥはＲＲＣ＿ＣＯＮＮＥＣＴＥＤ状態またはＲＲＣ＿ＩＮＡＣＴＩＶＥ状態になる。そうではない場合、つまりＲＲＣ接続が確立されていない場合、ＵＥはＲＲＣ＿ＩＤＬＥ状態になる。これらの異なる状態は、３ＧＰＰ  ＴＳ  ３８．３３１にさらに記載されている。
【０００８】
ＲＲＣ＿ＩＤＬＥでは、ＵＥが特定の場面でページングチャネルをリッスンするように構成され、セル（再）選択手順を実行し、システム情報をリッスンする。ＲＲＣ＿ＩＮＡＣＴＩＶＥではＵＥはページングチャネルをリッスンし、セル（再）選択手順を行うが、加えて、コンフィギュレーションも維持し、そして構成はネットワーク側にも保持されるので、必要なとき（例えば、ＵＥにデータが到着したとき）、データ送信を開始するための完全なセットアップ手順を必要としない。
【０００９】
ＲＲＣ＿ＣＯＮＮＥＣＴＥＤでは、ＵＥとの間でデータの転送が行われ、ネットワークがモビリティを制御する。この手段は、ＵＥが他のセルにハンドオーバすべき場合をネットワーク制御するものである。接続された状態では、ＵＥは依然としてページングチャネルを監視し、ＵＥのためのデータがあるか否かに関連する制御チャネルを監視する。これは、チャネル品質およびフィードバック情報をネットワークに提供し、隣接セル測定を実行し、これらの測定値をネットワークに報告する。
【００１０】
ＵＥがＣＭ−ＣＯＮＮＥＣＴＥＤおよびＲＲＣ＿ＩＮＡＣＴＩＶＥの場合、以下が適用される。
−ＵＥの到達性は、コアネットワークからの支援情報を用いて、ＲＡＮによって管理される
−ＵＥページングはＲＡＮによって管理される
−ＵＥは、ＵＥのＣＮ（５Ｇ  Ｓ−ＴＭＳＩ）およびＲＡＮ識別子（Ｉ−ＲＮＴＩ）を用いてページングするための監視を行う
【００１１】
ＡＭＦはネットワーク構成に基づいて、ＮＧ−ＲＡＮにアシスタンス情報（支援情報）を提供し、ＵＥがＲＲＣ非アクティブ状態に送ることができるかどうかのＮＧ−ＲＡＮの決定を支援することができる。ＲＲＣの非アクティブなアシスタンス情報には、次のようなものがある。
−ＵＥ固有のＤＲＸ値
−ＵＥに提供される登録エリアは、以下でＴＡＩリスト（ＴｒａｃｋｉｎｇＡｒｅａＩｄｅｎｔｉｆｉｅｒ  Ｌｉｓｔ）と呼ばれることがある
−定期登録更新タイマ
−ＡＭＦがＵＥのためのＭＩＣＯモードを有効化した場合、ＵＥがＭＩＣＯモードにあるという指示
−ＴＳ３８．３０４［５０］で定義されているＵＥの永久識別子からの情報で、ＲＡＮがＵＥのＲＡＮページングの発生を計算できるようにする
【００１２】
上述のＲＲＣ非アクティブアシスタンス情報はＵＥがＲＲＣ非アクティブ状態に送られ得るかどうかのＮＧ−ＲＡＮの判定を支援するために、（新しい）サービングＮＧ−ＲＡＮノードとのＮ２アクティブ化の間に（すなわち、登録、サービス要求、ハンドオーバ中に）ＡＭＦによって提供される。ＲＲＣ非アクティブ状態はＲＲＣステートマシンの一部であり、ＲＲＣ非アクティブ状態に入る条件を決定するのはＲＡＮ次第である。ＮＡＳ手順の結果としてＲＲＣ非アクティブアシスタンス情報に含まれるパラメータのいずれかが変化した場合、ＡＭＦはＲＲＣ非アクティブアシスタンス情報をＮＧ−ＲＡＮノードに更新するものとする。
【００１３】
Ｎ２およびＮ３基準点の状態は、ＲＲＣ非アクティブ状態でＣＭ−ＣＯＮＮＥＣＴＥＤに入るＵＥによって変更されない。ＲＲＣ非アクティブ状態にあるＵＥは、ＲＡＮ通知エリア（ＲＮＡ）を認識している。
【００１４】
＜ＲＲＣ＿ＩＮＡＣＴＩＶＥのＲＮＡコンフィギュレーション＞
ＲＲＣ＿ＩＮＡＣＴＩＶＥ状態にあるＵＥは、ＲＮＡ（ＲＡＮベースの通知エリア）を用いて構成することができる。
−ＲＮＡは単一または複数のセルをカバーすることができ、ＣＮ登録エリアよりも小さくすることができる
−ＲＡＮベースの通知エリア更新（ＲＮＡＵ）は、ＵＥによって周期的に送信され、ＵＥのセル再選択手順が構成されたＲＮＡに属さないセルを選択するときにも送信される
【００１５】
ＲＮＡをどのように構成できるかについては、いくつかの異なる選択肢がある。
−セルリスト
−ＵＥには、ＲＮＡを構成する（１つ以上の）セルの明示的なリストが提供される
−ＲＡＮエリアリスト
−ＵＥは（少なくとも１つの）ＲＡＮエリアＩＤを提供され、ＲＡＮエリアはＣＮトラッキングエリアのサブセットである
−セルはセルがどのエリアに属するかをＵＥが知るように、システム情報においてＲＡＮエリアＩＤをブロードキャストする（少なくとも１つ）
−ＴＡＩ（トラッキングエリア識別子）のリスト
【００１６】
ＣＭ−ＩＤＬＥではこれはＵＥ到達性を担当するコアネットワークであり、コアネットワークはトラッキングエリア（ＴＡ）のセットによって定義されるＣＮ登録エリアを設定することによってこれを行う。ＵＥはトラッキングエリア識別子、ＴＡＩのリストを介してＣＮ登録エリアで構成され、このＣＮ登録エリアは「ＴＡＩリスト」と呼ばれる。
【００１７】
ＮＧ−ＲＡＮはＲＲＣ非アクティブ状態のＣＭ−ＣＯＮＮＥＣＴＥＤへの遷移時に、ＲＲＣ非アクティブアシスタンス情報に示された周期的な登録更新タイマ値を考慮して、周期的ＲＡＮ通知エリア更新タイマをＵＥに設定し、ＵＥに提供されたＲＡＮ通知エリア更新タイマ値よりも長い値を有するガードタイマを使用する。
【００１８】
ＲＡＮにおいて周期的ＲＡＮ通知エリア更新ガードタイマが満了した場合、ＲＡＮは、ＴＳ  ２３．５０２［３］で指定されるようにＡＮリリース手順を開始することができる。
【００１９】
ＵＥがＲＲＣ非アクティブ状態でＣＭ−ＣＯＮＮＥＣＴＥＤにあるとき、ＵＥは、ＣＭ−ＩＤＬＥのためのＴＳ  ２３．１２２［１７］の中で定義されるＰＬＭＮ選択手順を実行する。
【００２０】
ＵＥがＲＲＣ非アクティブ状態でＣＭ接続されている場合、ＵＥは、以下に起因してＲＲＣ接続を再開することができる。
−アップリンクデータの保留
−モバイル起動ＮＡＳシグナリング手順
−ＲＡＮページングへの応答
−ＲＡＮ通知エリアを離れたことをネットワークに通知すること
−周期的なＲＡＮ更新タイマの満了時
【００２１】
再開時に、ＵＥは、再開時にＵＥが再開時と同様のＲＲＣ＿ＣＯＮＮＥＣＴＥＤコンフィギュレーションになるように、ＵＥの詳細、例えば、ベアラ、トラッキングエリア、スライス、セキュリティクレデンシャル／キーなどを記述するＵＥコンテキストをネットワークノードに通知する識別子を含むであろう。ＵＥコンテキストを指す識別子は、Ｉ−ＲＮＴＩ、非アクティブ無線ネットワーク一時識別子と呼ばれる。ＵＥがサスペンドされる時、すなわち、ＲＲＣ＿ＣＯＮＮＥＣＴＥＤからＲＲＣ＿ＩＮＡＣＴＩＶＥに遷移する時には、ネットワークからのＩ−ＲＮＴＩが提供される。ネットワークはＵＥをＲＲＣ＿ＩＮＡＣＴＩＶＥに遷移させるときにＩ−ＲＮＴＩを割り当て、Ｉ−ＲＮＴＩはＵＥコンテキストを識別するために使用される。すなわち、ＲＲＣ＿ＩＮＡＣＴＩＶＥにいる間にネットワーク内のＵＥについて記憶された詳細の識別情報として使用される。
【００２２】
ＲＲＣ＿ＩＮＡＣＴＩＶＥの動作の多くは、無線ネットワークを５Ｇコアネットワークに接続したり、ＡＭＦに接続したりする機能と密接に関連している。ＡＭＦ内に新しい状態がない（依然としてＣＭコネクテッドおよびＣＭアイドルのみである）場合であっても、ＡＭＦが（例えば、支援情報を提供するために）知る必要が依然としてある。
【００２３】
さらに、ＬＴＥ／ＥＵＴＲＡ無線ネットワークをＡＭＦまたは５Ｇコアネットワークに接続することが可能であるので、ロングタームエボリューション（ＬＴＥ）無線アクセスが５ＧＣ（５Ｇコアネットワーク）に接続される場合にも、新しい無線（ＮＲ）に指定されるすべての手順が適用されるべきである。したがって、ＲＲＣプロトコルなどの手順をＬＴＥ無線プロトコルに適応させる必要がある。
【００２４】
ＬＴＥ規格では、リリース１３で導入された、３６．３３１で定義されたＵＥをサスペンドするための手順がある。これは、例えば、３ＧＰＰ  ＴＳ２４．３０１に記載されているＮＡＳ手順を含む３ＧＰＰ  ＴＳ２３．４０１に記載されているように、ＬＴＥがＥＰＣに接続し、ＭＭＥノードがｅＮＢに直接接続されている場合に、Ｅ−ＵＴＲＡのために定義されたコアネットワークに適用可能である。このように、ＥＰＣに接続するノードに適用可能なこのサスペンド手順はＵＥがレジューム要求を送ることができ、最後のセッションから情報を取り出すことができ、再び信号を送る必要がないという点で、ＲＲＣ＿ＩＮＡＣＴＩＶＥといくつかの類似点を共有する。別の非常に重要な方法では、コアネットワークはＣＭ−ＩＤＬＥに対応する状態にあるので、ＲＲＣ＿ＩＮＡＣＴＩＶＥと同じではない。すなわち、ＵＥが接続されているとはみなされない。これは、ＥＰＣに接続するセル内で端末がサスペンドされたときに呼び出しを行うのはコアネットワークであることを意味する。
【００２５】
ＥＰＣにおいてサスペンドされるべきであることをＵＥに示す方法は、ＵＥがサスペンドすることを意味する要因値としてモデル化されるサスペンド指示を伴うリリースメッセージを送信することである。このメッセージの仕様は、３ＧＰＰ  ＴＳ  ３６．３３１にさらに記載されている。なお、仕様書からは、再開時に後でＡＳ情報を格納できるように、ＵＥをサスペンドするように定義された特定のリリース要因があることに留意することができる。これは、「ｒｒｃ−Ｓｕｓｐｅｎｄ−ｖ１３２０」として示される。ＵＥがサスペンドされている場合は、ｒｅｓｕｍｅＩｄｅｎｔｉｔｙも含まれている。これはＵＥが再開するかどうかを含めて、ネットワークがＵＥに関する情報を取得できるようにすることができる。
【発明の概要】
【００２６】
本開示で説明される例は、ＵＥをサスペンドすることに関連するシグナリングを改善するために使用されることができ、より低いオーバヘッド、電力節約、および改善された効率をもたらす。他の利点は、当業者には容易に明らかであろう。特定の実施形態は、列挙された利点のいずれも有さないか、いくつか、またはすべてを有し得る。
【００２７】
１つ以上のコンピュータのシステムはソフトウェア、ファームウェア、ハードウェア、またはそれらの組み合わせをシステムにインストールすることによって、特定のアクションまたはアクションを実行するように構成することができ、そのアクションによってシステムはアクションを実行するようにすることができる。１つまたは複数のコンピュータプログラムは、データ処理装置によって実行されると、装置にアクションを実行させる命令を含むことによって、特定の動作またはアクションを実行するように構成することができる。１つの一般的な態様は無線アクセスネットワーク（ＲＡＮ）内の１つ以上のネットワークノードからの通信を処理するためにユーザ装置によって実行される方法を含み、この方法は、接続状態で動作しているユーザ装置によって、ネットワークノードからのＲＲＣリリースメッセージを受信することを含む。また、この方法はＲＲＣリリースメッセージ内の指示に基づいて、ユーザ装置を非アクティブ状態にサスペンドするか、アイドル状態にサスペンドするかを決定することを含み、この指示には、ＲＲＣリリースメッセージ内のサスペンドコンフィギュレーションフィールドの有無が含まれる。この方法はまた、指示が非アクティブ状態にサスペンドすべきであると判定することに応答して、ユーザ装置を非アクティブ状態に遷移させることを含む。
【００２８】
１つの一般的な態様は無線アクセスネットワーク（ＲＡＮ）内のユーザ装置に通信を提供するためにネットワークノードによって実行される方法を含み、この方法は、接続された状態で動作しているユーザ装置にＲＲＣリリースメッセージを提供することを含む。また、この方法は、ＲＲＣリリースメッセージ内の指示に基づいて、ＲＲＣリリースメッセージ内のサスペンドコンフィギュレーションフィールドの有無を含む、ユーザ装置のインアクティブ状態またはアイドル状態へのサスペンドをトリガすることを含む。この方法はまた、インジケーションが非アクティブ状態にサスペンドされることに応答して、ユーザ装置を非アクティブ状態に遷移させることを含む。
【００２９】
上記の態様の他の実施形態は１つまたは複数のコンピュータ記憶デバイス上に記録された対応するコンピュータシステム、装置、およびコンピュータプログラムを含み、それぞれは、方法のアクションを実行するように構成される。
【図面の簡単な説明】
【００３０】
【図１】いくつかの例に係る、ユーザ装置を非アクティブ状態に遷移させるための方法を示すフロー図である。
【図２】いくつかの例に係る、追加の要因値の指示を含む、ユーザ装置を非アクティブ状態に遷移させるための方法を示すフロー図である。
【図３】いくつかの例に係る、非アクティブ状態またはアイドル状態に遷移するためにユーザ装置によって実行される方法を示すフロー図である。
【図４】いくつかの例に係る、ユーザ装置を非アクティブ状態またはアイドル状態に遷移させるためにネットワークノードによって実行される方法を示すフロー図である。
【図５】いくつかの例に係る、ワイヤレスネットワークを示すブロック図である。
【発明を実施するための形態】
【００３１】
ここで、本明細書で企図される実施形態のいくつかを、添付の図面を参照してより完全に説明する。しかしながら、他の実施形態は本明細書に開示された主題の範囲内に含まれ、開示された主題は本明細書に記載された実施形態のみに限定されると解釈されるべきではなく、むしろ、これらの実施形態は主題の範囲を当業者に伝えるために例として提供される。
【００３２】
多くの点で、ＬＴＥのためのサスペンドプロシージャは、ＮＲに対して導入されようとしており、ＡＭＦノードを用いて新しいネットワークに接続するためのものに類似している。ＲＲＣ＿ＩＮＡＣＴＩＶＥに遷移する場合、ＲＲＣ＿ＩＮＡＣＴＩＶＥ状態に入るべきであることをＵＥにシグナリングするために、サスペンドプロシージャも必要とされる。ＮＲでは、サスペンド指示のあるリリース（解放）メッセージの場合、リリース要因は含まれない。サスペンドコンフィギュレーションを自身に含めると、リリースメッセージがＲＲＣ＿ＩＮＡＣＴＩＶＥへのリリースを意味することをＵＥに示す可能性がある。サスペンドコンフィギュレーションがない場合は、リリースメッセージはＲＲＣ＿ＩＤＬＥへのリリースを意味する。一部の例では、サスペンドコンフィギュレーションはＲＲＣ−ＩｎａｃｔｉｖｅＣｏｎｆｉｇまたはｓｕｓｐｅｎｄＣｏｎｆのようなフィールドによって指示されている。
【００３３】
ＮＲでは、考慮すべきレガシーはない。これは、ＮＲにおけるサスペンドは、必ずＲＲＣ＿ＩＮＡＣＴＩＶＥへのサスペンドであるということを意味する。これは、異なる要因値を区別する際に細かくすることを可能にする。既存のメッセージである５ＧＣに接続するときに、対応するサスペンドコンフィギュレーションをＬＴＥに導入すべき場合、アイドル状態（ＬＴＥで既にサポートされているＲＲＣ＿ｉｄｌｅ）への異なるサスペンドと、ＬＴＥにとって新しい非アクティブ状態（ＲＲＣ＿ｉｎａｃｔｉｖｅ）へのサスペンドとを明確に区別する利点がある。
【００３４】
上記に加えて、ＮＲでは、リリースメッセージが新しい、すなわち、以前のシグナリング（すなわち、ＲＲＣリリースメッセージのデルタシグナリング、または少なくともサスペンドコンフィギュレーション）から変更された情報のみを含むべき状況を考慮することも望ましい。この状況では、リリースメッセージ内のサスペンドコンフィギュレーションが何を意味するかが混乱しうる。例えば、サスペンドコンフィギュレーション指示のないリリースメッセージがＵＥによって受信される場合、ＵＥがアイドル状態にリリースすべきか、サスペンドコンフィギュレーションに変更がない非アクティブへのサスペンドであることを意味するかは曖昧であろう。
【００３５】
現在、ある種の課題が存在する。より詳細には、リリースメッセージがＵＥをサスペンドするために使用されるとき、アイドル状態へのサスペンドと非アクティブ状態へのサスペンドとを区別できる必要がある。これは、ＬＴＥにおいては２つの異なるサスペンドの仕組みがあるので、ＬＴＥにとって特に重要である。
【００３６】
ＮＲの場合、および５ＧＣに接続されているＬＴＥの場合、ｓｕｓｐｅｎｄＣｏｎｆｉｇに変更がない状態でＵＥをＲＲＣ＿ＩＮＡＣＴＩＶＥにサスペンドするリリースメッセージと、ＲＲＣ＿ＩＤＬＥにＵＥをサスペンドするリリースメッセージを区別する必要がある。
【００３７】
本開示およびそれらの実施形態のある態様は、これらの課題または他の課題に対する解決策を提供することができる。
【００３８】
ある態様では、リリースの要因値は、リリースがＲＲＣ＿ＩＮＡＣＴＩＶＥへの遷移によるものであることをＵＥに示すために、ＬＴＥ内のＲＲＣリリースメッセージに含まれる。指示はＵＥがアイドル状態または非アクティブ状態へのサスペンションを区別することを可能にするために、暗黙的または明示的であり得る。様々な実施形態は異なるタイプの指示、例えば、非アクティブなどの所与の状態にのみ関連する１つまたは２つの特定のパラメータの存在などを説明する。これはＬＴＥに関するものであるが、ＲＡＴ（ＮＲなど）に適用可能な基本的な側面はアイドル状態へのサスペンド（ＬＴＥリリース１３のソリューション）または非アクティブ状態へのサスペンド（実行されるいくつかのアクションは一般的であるが、いくつかは各ソリューションに固有のものである）の区別である。
【００３９】
別の態様では、ＬＴＥのＲＲＣコネクションリリースメッセージにおいて非アクティブへのサスペンドがシグナリングされるときにＲＲＣメッセージに含まれるリリース要因がＬＴＥのＵＥをアイドルにサスペンドするために使用されるリリース要因とは異なる。サスペンド時のＵＥ動作は、その指示に基づいて区別されうる。例えば、非アクティブへサスペンドする場合、ＵＥは、ＲＡＮページングコンフィギュレーション、ＲＮＡ更新コンフィギュレーション、周期的なＲＮＡタイマなどのような、いくつかの排他的パラメータを適用する。
【００４０】
別の態様では、含まれるリリース要因は暗黙的である。すなわち、ＲＲＣ＿ＩＮＡＣＴＩＶＥへのリリースに有効なｓｕｓｐｅｎｄＣｏｎｆｉｇに新しい識別子値を含めることによってである。
【００４１】
別の態様では、リリース要因が信号を送られるべき構成に変更がない限りｓｕｓｐｅｎｄＣｏｎｆｉｇを含まないようにできるように、ＮＲにおいてシグナリングされるとき、リリースメッセージにも含まれる。
【００４２】
明示的または暗黙的な識別子を含む別の態様では、リリースの要因がなければ、他の点では不可能であろうＲＲＣ＿ＩＮＡＣＴＩＶＥに関連する情報のデルタシグナリングを許可するであろう。
【００４３】
別の態様では、ＲＲＣリリースメッセージの受信時にＵＥをＲＲＣ＿ｉｄｌｅまたはＲＲＣ＿ｉｎａｃｔｉｖｅに入ることを区別するリリース要因が下位レイヤから上位レイヤに提供されるように、上位レイヤが接続状態からアイドル状態への明確な遷移を実行できるように、または非アクティブ状態に入る指示の場合に、上位レイヤの観点から接続状態に留まることができるように、ＡＳおよびＮＡＳレイヤのＵＥは相互に作用する。
【００４４】
本明細書で提案される様々な実施形態は本明細書で開示される問題のうちの１つまたは複数に対処し、以下の技術的利点のうちの１つまたは複数を提供することができる。
【００４５】
いくつかの実施形態では、本明細書で説明される技術がＥＰＣおよび５ＧＣの両方に接続するＬＴＥにおけるサスペンドの区別の両方を可能にする。いくつかの実施形態では、本明細書で説明される技術は、リリースメッセージがＲＲＣ＿ＩＮＡＣＴＩＶＥへのリリースであるか、またはＲＲＣ＿ＩＤＬＥへのリリースであるかをＵＥに示すことを可能にする。
【００４６】
さらに、ＮＲにもリリース要因を含めることによって、本技術は、ＲＲＣ＿ＩＮＡＣＴＩＶＥ状態に適用可能なコンフィギュレーションパラメータのデルタシグナリングを可能にする。リリース要因は値が変更されない場合に新しいｓｕｓｐｅｎｄＣｏｎｆｉｇ値を含まないという利点を提供し、したがって、それらが変更された場合にのみｓｕｓｐｅｎｄＣｏｎｆｉｇに信号パラメータを含める。これはシグナリングを節約し、とりわけ、より低いオーバーヘッド、省電力、および改善された効率をもたらす。
【００４７】
図１は、ユーザ装置をＲＲＣ＿ＩＮＡＣＴＩＶＥ状態に遷移させるための例示的な方法を示すフロー図である。例えば、本方法は、いくつかの実施形態による、５ＧＣに接続されたＮＲにおけるシグナリングを示す。
【００４８】
ステップ１００で、ＵＥはネットワークからリリースメッセージを受信する。この例では、ＵＥはＲＲＣ＿ＣＯＮＮＥＣＴＥＤにあり、リリースされようとしている。ＲＲＣ＿ＣＯＮＮＥＣＴＥＤでＵＥをリリースする理由は、異なる可能性がある。これは、たとえば、非アクティブのため、または送受信するデータがなくなったためである。
【００４９】
ステップ１０２において、ＵＥはリリースメッセージを読み取り、解釈する。リリースメッセージ内に、リリースがＲＲＣ＿ＩＮＡＣＴＩＶＥへのサスペンドを参照するという指示がある場合、ＵＥはステップ１０６に進む。この指示は、リリース要因を「サスペンド」とすることができる。一方、リリースメッセージにそのような指示が含まれていない場合（例えば、代わりに別のリリース要因を含む場合）、リリースメッセージはＲＲＣ＿ＩＮＡＣＴＩＶＥへのリリースに関するものではなく、むしろ他の目的のために送られるが、これは図中で１０４として示されている。いくつかの例ではリリースはＲＲＣ＿ＩＤＬＥになるが、リリースメッセージが何か異なることを意味するかもしれない他の状況があるかもしれない。この実施形態では、ＲＲＣ＿ＩＮＡＣＴＩＶＥへの指示が含まれるかどうかに焦点が当てられる。
【００５０】
この指示は、ＵＥがサスペンドコンフィギュレーションにデルタシグナリングを適用するのを助ける。その指示が存在しない場合、サスペンドコンフィギュレーションフィールドが存在しないことは、ＵＥをＲＲＣ＿ＩＤＬＥに移動するためのネットワークからの指示として解釈される可能性がある。しかしながら、その指示に基づいて、ＵＥは、サスペンドコンフィギュレーションフィールドがないことが、ＵＥが以前に格納されたサスペンドコンフィギュレーションにデルタシグナリングを適用することができることを意味すると知る。言い換えると、ＵＥはＲＲＣ＿ＩＮＡＣＴＩＶＥに入り、ＲＲＣ＿ＩＮＡＣＴＩＶＥに入るときに格納されたサスペンドコンフィギュレーションを使用できる。
【００５１】
含まれる場合、ステップ１０６において、ＵＥは新しいｓｕｓｐｅｎｄＣｏｎｆｉｇをチェックし、ＵＥがＲＲＣ＿ＩＮＡＣＴＩＶＥ状態でどのように動作／設定されるべきかに関連する新たな潜在的ｓｕｓｐｅｎｄＣｏｎｆｉｇ情報を読み出す。
【００５２】
ｓｕｓｐｅｎｄＣｏｎｆｉｇ情報が含まれている場合、ＵＥは格納されたｓｕｓｐｅｎｄＣｏｎｆｉｇ情報を置き換える。リリースメッセージに含まれていないｓｕｓｐｅｎｄＣｏｎｆｉｇ情報について、ＵＥにこの情報の格納されたバージョンがある場合、ＲＲＣ＿ＩＮＡＣＴＩＶＥ状態で使用され、適用される。ステップ１０８で、ＵＥは、ＲＲＣ＿ＩＮＡＣＴＩＶＥに遷移する。
【００５３】
これらは、ＲＲＣ＿ＩＮＡＣＴＩＶＥへの遷移時にＵＥに対して行うことに関連するすべてのステップではないことに注意する。例えば、ＵＥ／ＵＥアクセスストラタムの下位レベルプロトコルが、図示されていない上位レイヤプロトコル／ＵＥ非アクセスストラタムと通信すべきであることに関連する局面がある。
【００５４】
説明は様々な設定で適用可能であり、追加のシグナリングを含むことができる。
【００５５】
図２は、追加の要因値の指示を含む、ユーザ装置をＲＲＣ＿ＩＮＡＣＴＩＶＥ状態に遷移させる方法の例を示すフロー図である。例えば、本方法は、いくつかの実施形態による、５ＧＣに接続されたＬＴＥにおけるシグナリングを示す。
【００５６】
ＵＥがＬＴＥを無線ネットワークとして使用している場合、またはリリース１３のソリューション（ＲＲＣ＿ＩＤＬＥへのサスペンド）やリリース１５のソリューション（ＲＲＣ＿ＩＮＡＣＴＩＶＥへのサスペンド）など、ＵＥをサスペンドするソリューションが異なる可能性がある無線ネットワークの状況を示す。無線ネットワークノードは、ＥＰＣ（ＭＭＥ＋サービングゲートウェイ）または５Ｇコアネットワーク（ＡＭＦ＋ユーザプレーンファンクション）のいずれか、または両方に接続できる。
【００５７】
ＬＴＥ  ＵＥがＲＲＣリリースメッセージ２００を受信している状況ではＬＴＥ  ＵＥがまず、ステップ２０２において、リリースメッセージがＲＲＣインアクティブ指示（これはリリース要因、例えば、「サスペンドインアクティブ」として実装することができる）を含むかどうかを考慮することができる。含まない場合、ＩＤＬＥへサスペンドする指示があるかどうかを考慮することができ、これはステップ２０４である。図中、ｖ１３２０の要因値として示されているが、この要因値はスタンダードリリース１３以外の他のスタンダードのバージョンにも同様に適用可能である。この状況では、サスペンド要因ｖ１５またはサスペンド要因ｂ１６または他の何かと呼ばれることがある。これは、ステップ２０２で決定されたものであった、非アクティブへのサスペンドではなく、アイドルへのサスペンドであることに留意されたい。ＩＤＬＥに対するサスペンド指示もない場合には、ステップ２１０で終了する。これは、ＵＥがいかなるＡＳも保存する必要なしにＩＤＬＥへリリースされることを意味し得る。ステップ２０４において、ＩＤＬＥへのサスペンド指示があった場合、ステップ２０４において、ＵＥはＩＤＬＥへリリースされ、この手順のために標準化されているものに従ってＡＳコンフィギュレーションを記憶する。
【００５８】
ステップ２０２で非アクティブ指示へのリリースが含まれていた場合、この指示は図１およびＮＲと同様の方法で、ＵＥが新しいｓｕｓｐｅｎｄＣｏｎｆｉｇをチェックし、ステップ２０６でＵＥがＲＲＣ非アクティブ（ＩＮＡＣＴＩＶＥ）状態でどのように動作／構成されるべきかに関連する新しい潜在的なｓｕｓｐｅｎｄＣｏｎｆｉｇ情報を読み取るべきであることを意味する。ステップ２０８でＵＥはＲＲＣ＿ＩＮＡＣＴＩＶＥに遷移する。
【００５９】
上記の両方の手順例に関連して、ステップ１０２／２０２において、ＵＥはＲＲＣ＿ＩＮＡＣＴＩＶＥへのサスペンド指示を含むかどうかを決定するために、リリースメッセージをチェックすべきであることが述べられている。指示の例は、以下でさらに詳細に議論される。
【００６０】
本開示の一態様では、ＲＲＣ＿ＩＮＡＣＴＩＶＥへのサスペンド指示がＲＲＣシグナリングに含まれる要因値である。
【００６１】
例えば、ＬＴＥのために指定されたシグナリングをとると、ＲＲＣ＿ＩＮＡＣＴＩＶＥへのサスペンドはＵＥが５ＧＣに接続されているときに、リリースメッセージにおいて使用するために、既存のリリース要因値の設定に追加されるか、またはＬＴＥのためのリリース要因の完全に異なる設定を含むことができる。他の例では、５ＧＣに接続するＵＥが選択のために利用可能な２つの異なるサスペンドの仕組みを実際に有する状況があり得る。
【００６２】
いくつかの例ではＲｅｌｅａｓｅＣａｕｓｅ−５Ｇが２ビットフィールド（４つの値）であるが、もちろん、異なるサイズであってもよい。同様に、５ＧＣに接続されたＮＲの場合、５ＧＣに接続されたＬＴＥと同様に、リリース要因が含まれうる。上記の両方の場合において、ＮＲおよびＬＴＥの両方について、当然ながら、他の要因値が存在し得ることに留意されたい。この技術は、他の要因があるか否かの状況の両方において、サスペンド要因の存在に適用可能である。
【００６３】
ＲＲＣ＿ＩＮＡＣＴＩＶＥへのリリースを示す別の方法は本開示の別の態様によれば、サスペンドコンフィギュレーション情報の有無に基づくことができる。サスペンドコンフィギュレーションはＲＲＣ＿ＩＮＡＣＴＩＶＥ状態でどのようにコンフィギュレーション／振る舞いを行うかをＵＥに通知し、どちらも異なるものと呼ぶことができ、さらに、多少のフィールドを含むことができる。一部の例では、サスペンドコンフィギュレーションにｒｅｓｕｍｅＩｄｅｎｔｉｔｙ、ｐａｇｉｎｇＣｙｃｌｅ、ｒａｎ−ＮｏｔｉｆｉｃａｔｉｏｎＡｒｅａＩｎｆｏ、ｐｅｒｉｏｄｉｃ−ＲＮＡＵ−ｔｉｍｅｒ、ｎｅｘｔＨｏｐＣｈａｉｎｉｎｇＣｏｕｎｔ情報エレメントが含まれる。ページングサイクルは、ＵＥがネットワークからのページを聞き取るべき時間インスタンスを示す繰り返し周波数である。本例では、サスペンドコンフィギュレーションは、ＲＮＡエリアと、ＲＮＡＵの定期的な更新のためのタイマとをさらに含む。本例では、サスペンドコンフィギュレーションには、セキュリティ関連のパラメータであるＮＣＣ  ＮｅｘｔＨｏｐＣｈａｉｎｉｎｇカウント値も含まれている。
【００６４】
ＲＲＣ＿ＩＮＡＣＴＩＶＥへのサスペンドを示す１つの方法は、サスペンドコンフィギュレーションメッセージにｒｅｓｕｍｅＩｄｅｎｔｉｔｙを含めることである。例えば、上記の１０２／２０２における基準は、レジュームアイデンティティが含まれる場合、それがＲＲＣ＿ＩＮＡＣＴＩＶＥへのサスペンドであることである。ｒｅｓｕｍｅＩｄｅｎｔｉｔｙが含まれておらず、サスペンドコンフィギュレーションが空であるか、リリースメッセージに存在しない場合、ＲＲＣ＿ＩＤＬＥへのリリースであるか、ＲＲＣ＿ＩＤＬＥへのサスペンドであるか、少なくともＲＲＣ＿ＩＮＡＣＴＩＶＥへのリリースではない。
【００６５】
したがって、本開示の一態様によれば、サスペンドコンフィギュレーションがリリースメッセージに含まれ、ｒｅｓｕｍｅＩｄｅｎｔｉｔｙである場合、必須である情報エレメントは１つだけである。これは、残りの情報エレメント（例えば、ｐａｇｉｎｇＣｙｃｌｅ、ｒａｎ−ＮｏｔｉｆｉｃａｔｉｏｎＡｒｅａＩｎｆｏ、ｐｅｒｉｏｄｉｃ−ＲＮＡＵ−ｔｉｍｅｒ、ｎｅｘｔＨｏｐＣｈａｉｎｉｎｇＣｏｕｎｔ）を任意に含めることができるということを意味する。それらが含まれていない場合、ＵＥはそれらを再びシグナリングする必要なしに、これらの情報エレメントのいずれかに対して以前に受信された情報を使用することを可能にすることができる。
【００６６】
上記のように、ＲＲＣ＿ＩＮＡＣＴＩＶＥへの遷移を実行するときと、そのような遷移がリリースメッセージによってシグナルまたはトリガされるときに、両方のオプションがＬＴＥとＮＲの両方に同様に適用可能であることに留意すべきである。
【００６７】
一部の例では、ＲＲＣリリースメッセージ（例えば、ＲＲＣＲｅｌｅａｓｅ）がサスペンドコンフィギュレーションフィールド（例えば、ｓｕｓｐｅｎｄＣｏｎｆｉｇ、ＲＲＣ−ＩｎａｃｔｉｖｅＣｏｎｆｉｇ）を含む場合、ユーザ装置はサスペンドコンフィギュレーションのパラメータｒｅｓｕｍｅＩｄｅｎｔｉｔｙ、ｎｅｘｔＨｏｐＣｈａｉｎｉｎｇＣｏｕｎｔ、ＰａｇｉｎｇＣｙｃｌｅおよびｒａｎ−ＮｏｔｉｆｉｃａｔｉｏｎＡｒｅａＩｎｆｏ情報（これらがまだ格納されていない場合）を格納する。デルタシグナリングは、ｒｅｓｕｍｅＩｄｅｎｔｉｔｙ、ｎｅｘｔＨｏｐＣｈａｉｎｉｎｇＣｏｕｎｔ、ＰａｇｉｎｇＣｙｃｌｅ、およびｒａｎ−ＮｏｔｉｆｉｃａｔｉｏｎＡｒｅａＩｎｆｏ（保存されている場合）に適用される。ＲＲＣリリースメッセージにサスペンドコンフィギュレーションフィールドが含まれていない場合、ユーザ装置は、サスペンドコンフィギュレーションのｒｅｓｕｍｅＩｄｅｎｔｉｔｙ、ｎｅｘｔＨｏｐＣｈａｉｎｉｎｇＣｏｕｎｔ、ＰａｇｉｎｇＣｙｃｌｅ、およびｒａｎ−ＮｏｔｉｆｉｃａｔｉｏｎＡｒｅａＩｎｆｏのパラメータに対して、ＵＥに格納されている値を使用する。
【００６８】
図３は、非アクティブ状態またはアイドル状態に遷移するためにユーザ装置によって実行される例示的な方法を示すフロー図である。
【００６９】
ステップ３０２において、接続状態で動作しているユーザ装置は、ＲＲＣリリースメッセージを受信する。現在の例では、接続された状態はＲＲＣ＿ｃｏｎｎｅｃｔｅｄ状態である。
【００７０】
ステップ３０４において、ユーザ装置はＲＲＣリリースメッセージ内の指示に基づいて、ユーザ装置を非アクティブ状態またはアイドル状態にサスペンドするかどうかを決定し、この指示は、ＲＲＣリリースメッセージ内のサスペンドコンフィギュレーションフィールドの有無を含む。この例では、非アクティブ状態はＲＲＣ＿ｉｎａｃｔｉｖｅ状態で、アイドル状態はＲＲＣ＿ｉｄｌｅ状態である。
【００７１】
いくつかの例ではユーザ装置を非アクティブ状態にサスペンドする指示がＲＲＣリリースメッセージの中にサスペンドコンフィギュレーションフィールドが存在することを含み、アイドル状態にユーザ装置をサスペンドする指示はＲＲＣリリースメッセージの中にサスペンドコンフィギュレーションフィールドが存在しないことを含む。サスペンドコンフィギュレーションフィールドはたとえば、ｓｕｓｐｅｎｄＣｏｎｆまたはＲＲＣ−ＩｎａｃｔｉｖｅＣｏｎｆｉｇである。一部の例では、サスペンドコンフィギュレーションフィールドが非アクティブ状態に対応するコンフィギュレーション（設定）を示す。
【００７２】
ステップ３０６において、指示が非アクティブ状態へのサスペンドであると判断したことに応答して、ユーザ装置は、非アクティブ状態に遷移する。例えば、ユーザ装置の非アクティブ状態への遷移は、ロングタームエボリューション（ＬＴＥ）ネットワークから５Ｇコアネットワークへのユーザ装置のコネクション中に実行されてもよい。
【００７３】
いくつかの例ではユーザ装置がサスペンドコンフィギュレーションフィールドによって示されるサスペンドコンフィギュレーションに対応するデルタシグナリングを適用し、ここで、デルタシグナリングはサスペンドコンフィギュレーションフィールドによって示される変更されたサスペンドコンフィギュレーション情報の受信と、ユーザ装置上に以前に記憶されたサスペンドコンフィギュレーション情報からの変更されていないサスペンドコンフィギュレーション情報へのアクセスとを含む。いくつかの例ではサスペンドコンフィギュレーションがＲＡＮ通知エリア（ＲＮＡ）情報を含み、デルタシグナリングはサスペンドコンフィギュレーションにおけるこのＲＮＡ情報を更新するために適用される。
【００７４】
図４は、いくつかの例による、ユーザ装置を非アクティブ状態またはアイドル状態に遷移させるためにネットワークノードによって実行される例示的な方法を示すフロー図である。
【００７５】
ステップ４０２で、ネットワークノードは、接続状態で動作しているユーザ装置にＲＲＣリリースメッセージを提供する。現在の例では、接続された状態はＲＲＣ＿ｃｏｎｎｅｃｔｅｄ状態である。
【００７６】
ステップ４０４で、ネットワークノードはＲＲＣリリースメッセージ内の指示に基づいて、ユーザ装置の非アクティブ状態またはアイドル状態へのサスペンドをトリガし、この指示は、ＲＲＣリリースメッセージ内のサスペンド設定フィールドの有無を含む。この例では、非アクティブ状態はＲＲＣ＿ｉｎａｃｔｉｖｅ状態で、アイドル状態はＲＲＣ＿ｉｄｌｅ状態である。
【００７７】
いくつかの例ではユーザ装置を非アクティブ状態にサスペンドする指示がＲＲＣリリースメッセージの中にサスペンドコンフィギュレーションフィールドが存在することを含み、アイドル状態にユーザ装置をサスペンドする指示はＲＲＣリリースメッセージの中にサスペンドコンフィギュレーションフィールドが存在しないことを含む。サスペンドコンフィギュレーションフィールドはたとえば、ｓｕｓｐｅｎｄＣｏｎｆまたはＲＲＣ−ＩｎａｃｔｉｖｅＣｏｎｆｉｇである。一部の例では、サスペンド設定フィールドが非アクティブ状態に対応する設定を示す。
【００７８】
ステップ４０６で、ネットワークノードは指示に応答して、非アクティブ状態にサスペンドし、ユーザ装置は非アクティブ状態に遷移する。例えば、ユーザ装置の非アクティブ状態への遷移は、ロングタームエボリューション（ＬＴＥ）ネットワークから５Ｇコアネットワークへのユーザ装置の接続中に実行されてもよい。
【００７９】
いくつかの例ではユーザ装置がサスペンドコンフィギュレーションフィールドによって示されるサスペンドコンフィギュレーションに対応するデルタシグナリングを適用し、ここで、デルタシグナリングはサスペンドコンフィギュレーションフィールドによって示される変更されたサスペンドコンフィギュレーション情報を提供することを含み、ユーザ装置はユーザ装置に以前に保存されたサスペンドコンフィギュレーション情報から変更されていないサスペンドコンフィギュレーション情報にアクセスする。いくつかの例ではサスペンドコンフィギュレーションがＲＡＮ通知エリア（ＲＮＡ）情報を含み、デルタシグナリングはサスペンドコンフィギュレーションにおけるこのＲＮＡ情報を更新するために適用される。
【００８０】
図５は、例示的な無線ネットワークを示すブロック図である。本明細書で説明される主題は任意の好適な構成要素を使用して任意の適切な種類のシステムで実装され得るが、本明細書で開示される実施形態は図５に示される例示的な無線ネットワークなどの無線ネットワークに関連して説明される。簡単にするために、図５の無線ネットワークはネットワーク５０６、ネットワークノード５６０及び５６０ｂ、並びにＷＤ５１０、５１０ｂ、及び５１０ｃのみを示す。実際には、無線ネットワークは、無線デバイス間、または無線デバイスと固定電話、サービスプロバイダ、または他の任意のネットワークノードまたは終端装置などの他の通信装置との間の通信をサポートするのに適した任意の追加要素をさらに含むことができる。図示された構成要素のうち、ネットワークノード５６０および無線デバイス（ＷＤ）５１０は、追加の詳細が示される。無線ネットワークは、無線ネットワークによって、または無線ネットワークを介して提供されるサービスへの無線デバイスのアクセスおよび／またはサービスの使用を容易にするために、１つ以上の無線デバイスに通信および他のタイプのサービスを提供することができる。
【００８１】
無線ネットワークは、任意の種類の通信、電気通信、データ、セルラー、および／または無線ネットワークまたは他の同様の種類のシステムとの、および／またはインタフェースを備えることができる。いくつかの実施形態では、無線ネットワークが特定の標準または他のタイプの事前定義されたルールまたはプロシージャに従って動作するように構成されてもよい。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な２Ｇ、３Ｇ、４Ｇ、または５Ｇ規格などの通信規格、ＩＥＥＥ８０２．１１規格などの無線ローカルエリアネットワーク（ＷＬＡＮ）規格、および／またはＷｉＭａｘ（Worldwide Interoperability for Microwave Access）、Ｂｌｕｅｔｏｏｔｈ、Ｚ−Ｗａｖｅ、および／またはＺｉｇＢｅｅ規格などの任意の他の適切な無線通信規格を実装することができる。
【００８２】
ネットワーク５０６は、１つ以上のバックホールネットワーク、コアネットワーク、ＩＰネットワーク、公衆交換電話網、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークから成り得る。
【００８３】
ネットワークノード５６０およびＷＤ５１０は、以下でより詳細に説明する様々な構成要素を備える。これらの構成要素は、無線ネットワークで無線接続を提供するなど、ネットワークノードおよび／または無線デバイス機能を提供するために連携する。様々な実施形態では無線ネットワークが任意の数の有線または無線ネットワーク、ネットワークノード、基地局、コントローラ、無線デバイス、中継局、および／または有線または無線接続を介するかどうかにかかわらず、データおよび／または信号の通信を容易にするかまたは参加することができる任意の他の構成要素またはシステムを備えることができる。
【００８４】
本明細書で使用されるように、ネットワークノードは無線デバイスと直接的または間接的に通信し、および／または無線ネットワーク内の他のネットワークノードまたは装置と通信して、無線デバイスへの無線アクセスを可能にし、および／または提供し、および／または無線ネットワーク内の他の機能（例えば、管理）を実行することができる、構成され、配置され、および／または動作可能な装置を指す。ネットワークノードの例にはアクセスポイント（ＡＰ）（例えば、無線アクセスポイント）、基地局（Ｂｓ）（例えば、無線基地局、ノードＢ、進化ノードＢ（ｅＮＢ）およびＮＲノードＢ（ｇＮＢ））が含まれるが、これらに限定されない。基地局はそれらが提供する（または別の言い方をすれば、それらの送信電力レベル）カバレージの量に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび／または遠隔無線ユニット（ＲＲＵ）（遠隔無線ヘッド（ＲＲＨ）と呼ばれることもある）などの分散型無線基地局の１つまたは複数の（またはすべての）部分を含むこともできる。このような遠隔無線ユニットは、アンテナ一体型無線機としてアンテナと一体化される場合とされない場合がある。分散無線基地局の一部は、分散アンテナシステム（ＤＡＳ）におけるノードとも呼ばれることがある。ネットワークノードのさらに別の例はＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは以下により詳細に説明されるように、仮想ネットワークノードであってもよい。しかしながら、より一般的には、ネットワークノードが無線ネットワークへのアクセスを有する無線装置を可能にし、および／または提供し、あるいは無線ネットワークにアクセスした無線装置に何らかのサービスを提供するために、可能、構成、配置、および／または動作可能な任意の適当な装置（または装置群）を表すことができる。
【００８５】
図５において、ネットワークノード５６０は、処理回路５７０、デバイス可読媒体５８０、インタフェース５９０、補助装置５８４、電源５８６、電力回路５８７、およびアンテナ５６２を含む。図５の例示的な無線ネットワークに示されたネットワークノード５６０はハードウェアコンポーネントの図示された組合せを含むデバイスを表すことができるが、他の実施形態はコンポーネントの異なる組合せを有するネットワークノードを備えることができる。ネットワークノードは、本明細書で開示されるタスク、特徴、機能、および方法を実行するために必要とされるハードウェアおよび／またはソフトウェアの任意の適切な組合せを備えることを理解されたい。さらに、ネットワークノード５６０の構成要素はより大きなボックス内に配置された単一のボックスとして描かれているか、または複数のボックス内にネストされているが、実際にはネットワークノードが単一の図示された構成要素を構成する複数の異なる物理的な構成要素を備えてもよい（例えば、デバイス可読媒体５８０は複数の個別のハードドライブと、複数のＲＡＭモジュールとを備えてもよい）。
【００８６】
同様に、ネットワークノード５６０は複数の物理的に別個の構成要素（例えば、ノードＢ構成要素およびＲＮＣ構成要素、またはＢＴＳ構成要素およびＢＳＣ構成要素など）から構成されてもよく、それらはそれぞれ、それら自体のそれぞれの構成要素を有する可能性がある。ネットワークノード５６０が複数の別個の構成要素（例えば、ＢＴＳおよびＢＳＣ構成要素）を含む特定のシナリオでは、１つ以上の別個の構成要素がいくつかのネットワークノード間で共有されてもよい。例えば、単一のＲＮＣは、複数のノードＢを制御することができる。このようなシナリオでは、一意の各ＮｏｄｅＢとＲＮＣのペアが１つの個別のネットワークノードと見なされる場合がある。いくつかの実施形態では、ネットワークノード５６０が複数の無線アクセス技術（ＲＡＴ）をサポートするように構成され得る。そのような実施形態ではいくつかの構成要素が複製されてもよく（例えば、異なるＲＡＴのための別個のデバイス可読媒体５８０）、いくつかの構成要素は再使用されてもよい（例えば、同じアンテナ５６２はＲＡＴによって共有されてもよい）。ネットワークノード５６０はまた、例えば、ＧＳＭ、ＷＣＤＭＡ（登録商標）、ＬＴＥ、ＮＲ、ＷｉＦｉ、またはＢｌｕｅｔｏｏｔｈ無線技術のような、ネットワークノード５６０に統合された異なる無線技術のための様々な図示された構成要素の複数のセットを含んでもよい。これらの無線技術は、ネットワークノード５６０内の同じまたは異なるチップまたはチップセットおよび他の構成要素に統合され得る。
【００８７】
処理回路５７０はネットワークノードによって提供されるものとして本明細書で説明される任意の決定、計算、または類似の動作（例えば、特定の取得動作）を実行するように構成される。処理回路５７０によって実行されるこれらの動作は例えば、取得された情報を他の情報に変換すること、取得された情報または変換された情報をネットワークノードに格納された情報と比較すること、および／または取得された情報または変換された情報に基づいて１つまたは複数の動作を実行すること、および前記処理の決定として判定を行うことによって、処理回路５７０によって取得された処理情報を処理することを含み得る。
【００８８】
処理回路５７０はマイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つまたは複数の組合せを備えてもよく、これらは、単独で、またはデバイス可読媒体５８０、ネットワークノード５６０機能などの他のネットワークノード５６０構成要素と併せてのいずれかで提供するように動作可能である。例えば、処理回路５７０は、デバイス可読媒体５８０または処理回路５７０内のメモリに格納された命令を実行することができる。そのような機能は、本明細書で説明される様々な無線特徴、機能、または利益のいずれかを提供することを含むことができる。いくつかの実施形態では、処理回路５７０がシステムオンチップ（ＳＯＣ）を含むことができる。
【００８９】
いくつかの実施形態では、処理回路５７０が無線周波数トランシーバ回路５７２およびベースバンド処理回路５７４のうちの１つ以上を含んでもよい。いくつかの実施形態では、無線周波数（ＲＦ）送受信回路５７２およびベースバンド処理回路５７４が無線ユニットおよびデジタルユニットなどの、別個のチップ（またはチップセット）、ボード、またはユニット上にあってもよい。代替実施形態では、ＲＦ送受信回路５７２およびベースバンド処理回路５７４の一部または全部が同じチップまたはチップ、ボード、またはユニットのセット上にあってもよい。
【００９０】
いくつかの実施形態ではネットワークノード、基地局、ｅＮＢ、または他のそのようなネットワークデバイスによって提供されるものとして本明細書で説明される機能のいくつかまたはすべてはデバイス可読媒体５８０または処理回路５７０内のメモリ上に格納された命令を実行する処理回路５７０によって実行され得る。代替の実施形態では、機能のいくつかまたはすべてはハードワイヤード方式などで、別個のまたは個別のデバイス可読媒体上に格納された命令を実行することなく、処理回路５７０によって提供され得る。これらの実施形態のいずれにおいても、デバイス可読記憶媒体上に記憶された命令を実行するか否かにかかわらず、処理回路５７０は、説明された機能を実行するように構成され得る。そのような機能性によって提供される利点は、処理回路５７０単独またはネットワークノード５６０の他の構成要素に限定されず、ネットワークノード５６０全体によって、および／またはエンドユーザおよび無線ネットワーク全体によって享受される。
【００９１】
デバイス可読媒体５８０は限定されるものではないが、永続的記憶装置、ソリッドステートメモリ、遠隔でマウントされたメモリ、磁気媒体、光学媒体、ランダムアクセスメモリ（ＲＡＭ）、読み出し専用メモリ、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および／または処理回路５７０によって使用され得る情報、データ、および／または命令を記憶するその他の揮発性または不揮発性、一時的でないデバイス可読および／またはコンピュータ実行可能メモリデバイスを含む、任意の形態の揮発性または不揮発性コンピュータ可読メモリを含むことができる。デバイス可読媒体５８０は、コンピュータプログラム、ソフトウェア、ロジック、ルール、コード、テーブルなどのうちの１つ以上を含むアプリケーション、および／または処理回路５７０によって実行され、ネットワークノード５６０によって利用されることが可能な他の命令を含む、任意の適切な命令、データ、または情報を格納することができる。デバイス可読媒体５８０は、処理回路５７０によって行われた任意の演算、および／またはインタフェース５９０を介して受信された任意のデータを格納するために使用され得る。いくつかの実施形態では、処理回路５７０およびデバイス可読媒体５８０が一体化されていると考えることができる。
【００９２】
インタフェース５９０は、ネットワークノード５６０、ネットワーク５０６、および／またはＷＤ５１０間のシグナリングおよび／またはデータの有線または無線通信で使用される。図示されるように、インタフェース５９０は、例えば有線接続を介してネットワーク５０６との間でデータを送受信するためのポート／端子５９４を含む。インタフェース５９０はまた、アンテナ５６２の一部に結合され得る、または特定の実施形態では無線フロントエンド回路５９２を含む。無線フロントエンド回路５９２は、フィルタ５９８および増幅器５９６を含む。無線フロントエンド回路５９２は、アンテナ５６２および処理回路５７０に接続されてもよい。無線フロントエンド回路は、アンテナ５６２と処理回路５７０との間で通信される信号を条件付けるように構成されてもよい。無線フロントエンド回路５９２は、無線接続を介して他のネットワークノードまたはＷＤに送出されるデジタルデータを受信することができる。無線フロントエンド回路５９２は、フィルタ５９８および／または増幅器５９６の組合せを使用して、デジタルデータを適切なチャネルおよび帯域幅パラメータを有する無線信号に変換することができる。次いで、無線信号は、アンテナ５６２を介して送信されてもよい。同様に、データを受信するとき、アンテナ５６２は無線信号を収集し、次いで、無線フロントエンド回路５９２によってデジタルデータに変換されてもよい。デジタルデータは、処理回路５７０に渡すことができる。他の実施形態では、インタフェースが異なる構成要素および／または構成要素の異なる組合せを含むことができる。
【００９３】
特定の代替実施形態では、ネットワークノード５６０が別個の無線フロントエンド回路５９２を含まなくてもよく、代わりに、処理回路５７０は無線フロントエンド回路を含んでもよく、別個の無線フロントエンド回路５９２を伴わずに、アンテナ５６２に接続されてもよい。同様に、いくつかの実施形態では、ＲＦ送受信回路５７２のすべて又はいくつかはインタフェース５９０の一部とみなすことができる。さらに他の実施形態ではインタフェース５９０が無線ユニット（図示せず）の一部として、１つまたは複数のポートまたは終端５９４、無線フロントエンド回路５９２、およびＲＦ送受信回路５７２を含んでもよく、インタフェース５９０はデジタルユニット（図示せず）の一部であるベースバンド処理回路５７４と通信してもよい。
【００９４】
アンテナ５６２は、無線信号を送信および／または受信するように構成された１つまたは複数のアンテナ、またはアンテナアレイを含むことができる。アンテナ５６２は無線フロントエンド回路５９０に結合することができ、データおよび／または信号を無線で送受信することができる任意のタイプのアンテナとすることができる。いくつかの実施形態では、アンテナ５６２が例えば、２ＧＨｚと６６ＧＨｚとの間で無線信号を送受信するように動作可能な、１つまたは複数の無指向性、セクタまたはパネルアンテナを含んでもよい。無指向性アンテナは任意の方向に無線信号を送受信するために使用されてもよく、セクタアンテナは特定の領域内のデバイスから無線信号を送受信するために使用されてもよく、パネルアンテナは比較的直線状に無線信号を送受信するために使用される視線アンテナであってもよい。いくつかの例では、２つ以上のアンテナの使用がＭＩＭＯと呼ばれ得る。いくつかの実施形態では、アンテナ５６２がネットワークノード５６０とは別個であってもよく、インタフェースまたはポートを介してネットワークノード５６０に接続可能であってもよい。
【００９５】
アンテナ５６２、インタフェース５９０、および／または処理回路５７０は、ネットワークノードによって実行されるものとして本明細書で説明される任意の受信動作および／または特定の取得動作を実行するように構成され得る。任意の情報、データ、および／または信号は、無線デバイス、別のネットワークノード、および／または任意の他のネットワーク機器から受信され得る。同様に、アンテナ５６２、インタフェース５９０、および／または処理回路５７０は、ネットワークノードによって実行されるものとして本明細書で説明される任意の送信動作を実行するように構成され得る。任意の情報、データ、および／または信号は、無線デバイス、別のネットワークノード、および／または任意の他のネットワーク機器に送信され得る。
【００９６】
電力回路５８７は、電力管理回路を備えてもよく、または電力管理回路に結合されてもよく、本明細書に記載される機能を実行するための電力をネットワークノード５６０の構成要素に供給するように構成される。電源回路５８７は、電源５８６から電力を受け取ることができる。電源５８６および／または電源回路５８７はそれぞれの構成要素に適した形態（例えば、それぞれの構成要素に必要な電圧および電流レベルで）で、ネットワークノード５６０の様々な構成要素に電力を供給するように構成されてもよく、電源５８６は電源回路５８７および／またはネットワークノード５６０に含まれてもよく、またはその外部に含まれてもよい。例えば、ネットワークノード５６０は電気ケーブルなどの入力回路またはインタフェースを介して、外部電源（例えば、電気コンセント）に接続可能であってもよく、それによって、外部電源は、電力回路５８７に電力を供給する。さらなる例として、電源５８６は、電力回路５８７に接続される、または集積される、バッテリまたはバッテリパックの形態の電源を含んでもよい。外部電源に障害が発生した場合、蓄電池からバックアップ電源が供給されることがある。光起電装置のような他のタイプの動力源も使用することができる。
【００９７】
ネットワークノード５６０の代替的な実施形態は、本明細書で説明される機能性のいずれか、および／または本明細書で説明される主題をサポートするために必要な任意の機能性を含む、ネットワークノードの機能性のある態様を提供する責任を負うことができる、図５に示されるものを超える追加の構成要素を含むことができる。例えば、ネットワークノード５６０はネットワークノード５６０への情報の入力を可能にし、ネットワークノード５６０からの情報の出力を可能にするユーザインタフェース機器を含んでもよい。これにより、ユーザは、ネットワークノード５６０の診断、メンテナンス、修理、および他の管理機能を実行することができる。
【００９８】
本明細書で使用されるように、無線デバイス（ＷＤ）は、ネットワークノードおよび／または他の無線デバイスとワイヤレスに通信することができる、構成される、配置される、および／または動作可能なデバイスを指す。特に断らない限り、用語ＷＤは、本明細書ではユーザ装置（ＵＥ）と互換的に使用され得る。無線通信は、電磁波、電波、赤外線、および／または空気を介して情報を伝達するのに適した他のタイプの信号を使用して、無線信号を送信および／または受信することを伴ってもよい。いくつかの実施形態では、ＷＤが直接的な人間の対話なしに情報を送信および／または受信するように構成され得る。例えば、ＷＤは所定のスケジュールで、内部または外部のイベントによってトリガされたとき、またはネットワークからの要求に応答して、ネットワークに情報を送信するように設計されてもよい。ＷＤの例としてはスマートフォン、携帯電話、携帯電話、ＶｏＩＰ（ｖｏｉｃｅ  ｏｖｅｒ  ＩＰ）電話、無線ローカルループ電話、デスクトップコンピュータ、パーソナルデジタルアシスタント（ＰＤＡ）、無線カメラ、ゲーミングコンソールまたはデバイス、音楽記憶装置、再生装置、ウェアラブル端末装置、無線エンドポイント、移動局、タブレット、ラップトップ、ラップトップ組み込み装置（ＬＥＥ）、ラップトップ搭載装置（ＬＭＥ）、スマートデバイス、無線カスタマー構内装置（ＣＰＥ）が挙げられるが、これらに限定されない。車載無線端末機器等。ＷＤは例えば、サイドリンク通信、車車間（Ｖ２Ｖ）、車対インフラストラクチャ（Ｖ２Ｉ）、車対あらゆるもの（Ｖ２Ｘ）のための３ＧＰＰ標準を実装することによって、デバイス間（Ｄ２Ｄ）通信をサポートすることができ、この場合、Ｄ２Ｄ通信装置と呼ばれることがある。さらに別の特定の例として、ＩｏＴ（Ｉｎｔｅｒｎｅｔ  ｏｆ  Ｔｈｉｎｇｓ）シナリオでは、ＷＤが監視および／または測定を実行し、そのような監視および／または測定の結果を別のＷＤおよび／またはネットワークノードに送信する機械または他のデバイスを表すことができる。この場合、ＷＤはマシンツーマシン（Ｍ２Ｍ）デバイスであってもよく、３ＧＰＰ文脈ではＭＴＣデバイスと呼ばれてもよい。１つの特定の例として、ＷＤは、３ＧＰＰ狭帯域インターネット・オブ・シングス（ＮＢ−ＩｏＴ）標準を実装するＵＥであってもよい。そのような機械または装置の特定の例はセンサ、電力計、産業機械などの計量装置、または家庭用もしくは個人用機器（例えば、冷蔵庫、テレビなど）、個人用ウェアラブル（例えば、時計、フィットネストラッカなど）である。他のシナリオでは、ＷＤがその動作状態またはその動作に関連する他の機能を監視および／または報告することができる車両または他の機器を表すことができる。上述のＷＤは無線接続のエンドポイントを表すことができ、この場合、デバイスは、無線端末と呼ばれることができる。さらに、上述したようなＷＤは、モバイルであってもよく、その場合、モバイルデバイスまたはモバイル端末とも呼ばれてもよい。
【００９９】
図示のように、無線デバイス５１０は、アンテナ５１１、インタフェース５１４、処理回路５２０、デバイス可読媒体５３０、ユーザインタフェース機器、補助装置５３４、電源５３６、および電源回路５３７を含む。ＷＤ５１０はほんの数例を挙げると、たとえば、ＧＳＭ、ＷＣＤＭＡ、ＬＴＥ、ＮＲ、ＷｉＦｉ、ＷｉＭＡＸ、またはＢｌｕｅｔｏｏｔｈ無線技術、ＷＤ５１０によってサポートされる異なる無線技術のための例示された構成要素のうちの１つまたは複数の複数のセットを含むことができる。これらの無線技術は、ＷＤ５１０内の他のコンポーネントと同じまたは異なるチップまたはチップの設定に統合され得る。
【０１００】
アンテナ５１１は無線信号を送信および／または受信するように構成された１つまたは複数のアンテナまたはアンテナアレイを含むことができ、インタフェース５１４に接続される。特定の代替実施形態では、アンテナ５１１がＷＤ５１０とは別個であってもよく、インタフェースまたはポートを介してＷＤ５１０に接続可能であってもよい。アンテナ５１１、インタフェース５１４、および／または処理回路５２０は、ＷＤによって実行されるものとして本明細書で説明される任意の受信動作または送信動作を実行するように構成され得る。任意の情報、データ、および／または信号が、ネットワークノードおよび／または別のＷＤから受信され得る。いくつかの実施形態では、無線フロントエンド回路および／またはアンテナ５１１がインタフェースとみなされてもよい。
【０１０１】
図示されるように、インタフェース５１４は、無線フロントエンド回路５１２およびアンテナ５１１を備える。無線フロントエンド回路５１２は、１つまたは複数のフィルタ５１８および増幅器５１６を備える。無線フロントエンド回路５１４は、アンテナ５１１および処理回路５２０に接続され、アンテナ５１１と処理回路５２０との間で通信される信号を調整するように構成される。無線フロントエンド回路５１２は、アンテナ５１１に結合されてもよく、またはその一部であってもよい。いくつかの実施形態ではＷＤ５１０が別個の無線フロントエンド回路５１２を含まなくてもよく、むしろ、処理回路５２０は無線フロントエンド回路を含んでもよく、アンテナ５１１に接続されてもよい。同様に、いくつかの実施形態では、ＲＦ送受信回路５２２の一部または全部がインタフェース５１４の一部とみなされてもよい。無線フロントエンド回路５１２は、無線接続を介して他のネットワークノードまたはＷＤに送出されるデジタルデータを受信することができる。無線フロントエンド回路５１２は、フィルタ５１８および／または増幅器５１６の組合せを使用して、デジタルデータを適切なチャネルおよび帯域幅パラメータを有する無線信号に変換してもよい。次いで、無線信号は、アンテナ５１１を介して送信されてもよい。同様に、データを受信する場合、アンテナ５１１は無線信号を収集し、次いで、無線フロントエンド回路５１２によってデジタルデータに変換され得る。デジタルデータは、処理回路５２０に渡されてもよい。他の実施形態では、インタフェースが異なる構成要素および／または構成要素の異なる組合せを含むことができる。
【０１０２】
処理回路５２０はマイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および／または符号化ロジックの組合せのうちの１つ以上の組合せを備えることができ、これらは、単独で、またはデバイス可読媒体５３０、ＷＤ５１０機能などの他のＷＤ  ５１０構成要素と併せてのいずれかで提供するように動作可能である。そのような機能は、本明細書で説明される様々な無線特徴または利点のいずれかを提供することを含むことができる。例えば、処理回路５２０は本明細書で開示される機能を提供するために、デバイス可読媒体５３０または処理回路５２０内のメモリに格納された命令を実行することができる。
【０１０３】
図示されるように、処理回路５２０は、ＲＦ送受信回路５２２、ベースバンド処理回路５２４、およびアプリケーション処理回路５２６のうちの１つまたは複数を含む。他の実施形態では、処理回路が異なる構成要素及び／又は構成要素の異なる組合せを含むことができる。いくつかの実施形態では、ＷＤ５１０の処理回路５２０がＳＯＣを備えることができる。いくつかの実施形態ではＲＦ送受信回路５２２、ベースバンド処理回路５２４、およびアプリケーション処理回路５２６は別個のチップまたはチップセット上にあってもよい。代替の実施形態ではベースバンド処理回路５２４およびアプリケーション処理回路５２６の一部または全部が１つのチップまたはチップの設定に組み合わされてもよく、ＲＦ送受信回路５２２は別個のチップまたはチップセット上にあってもよい。さらに代替の実施形態ではＲＦ送受信回路５２２およびベースバンド処理回路５２４の一部または全部が同じチップまたはチップセット上にあってもよく、アプリケーション処理回路５２６は別個のチップまたはチップセット上にあってもよい。さらに他の代替実施形態では、ＲＦ送受信回路５２２、ベースバンド処理回路５２４、およびアプリケーション処理回路５２６の一部または全部が同じチップまたはチップセットに組み合わされてもよい。いくつかの実施形態では、ＲＦ送受信回路５２２がインタフェース５１４の一部であってもよい。ＲＦ送受信回路５２２は、処理回路５２０のためのＲＥ信号条件付けることができる。
【０１０４】
特定の実施形態では、ＷＤによって実行されるものとして本明細書で説明される機能の一部またはすべては特定の実施形態ではコンピュータ可読記憶媒体とすることができるデバイス可読媒体５３０上に記憶された命令を実行する処理回路５２０によって提供することができる。代替の実施形態では、機能のいくつかまたはすべてはハードワイヤード方式などで、別個のまたはディスクリートデバイス可読記憶媒体上に記憶された命令を実行することなく、処理回路５２０によって提供され得る。これらの特定の実施形態のいずれにおいても、デバイス可読記憶媒体上に記憶された命令を実行するか否かにかかわらず、処理回路５２０は、説明された機能を実行するように構成され得る。そのような機能性によって提供される利点は、処理回路５２０単独またはＷＤ５１０の他の構成要素に限定されず、ＷＤ５１０全体によって、および／またはエンドユーザおよび無線ネットワーク全体によって享受される。
【０１０５】
処理回路５２０はＷＤによって実行されるものとして本明細書で説明される任意の決定、計算、または類似の動作（例えば、特定の取得動作）を実行するように構成され得る。これらの動作は処理回路５２０によって実行されるように、例えば、取得された情報を他の情報に変換すること、取得された情報または変換された情報をＷＤ５１０によって記憶された情報と比較すること、および／または取得された情報または変換された情報に基づいて１つまたは複数の動作を実行すること、および処理の決定として判定を行うことによって、処理回路５２０によって取得された情報を処理することを含み得る。
【０１０６】
デバイス可読媒体５３０は、コンピュータプログラム、ソフトウェア、ロジック、ルール、コード、テーブルなどのうちの１つまたは複数を含むアプリケーション、および／または処理回路５２０によって実行されることが可能な他の命令を格納するように動作可能であり得る。デバイス可読可能媒体５３０はコンピュータメモリ（例えば、ランダムアクセスメモリ（ＲＡＭ）または可読専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、および／または処理回路５２０によって使用され得る情報、データ、および／または命令を記憶する任意の他の揮発性または不揮発性、一時的でないデバイス可読可能および／またはコンピュータ実行可能メモリデバイスを含み得る。いくつかの実施形態では、処理回路５２０およびデバイス可読媒体５３０が一体化されていると考えることができる。
【０１０７】
ユーザインタフェース機器５３２は、人間のユーザがＷＤ５１０と対話することを可能にするコンポーネントを提供することができる。このような相互作用は、視覚的、聴覚的、触覚的などの多くの形態であり得る。ユーザインタフェース機器５３２はユーザに出力を生成し、ユーザがＷＤ５１０に入力を提供することを可能にするように動作可能であってもよい。対話のタイプは、ＷＤ５１０にインストールされたユーザインタフェース機器５３２のタイプに応じて変わり得る。例えば、ＷＤ５１０がスマートフォンである場合、対話はタッチスクリーンを介して行われてもよく、ＷＤ５１０がスマートメータである場合、対話は使用量（例えば、使用されるガロン数）を提供するスクリーン、または可聴警報（例えば、煙が検出される場合）を提供するスピーカを介して行われてもよい。ユーザインタフェース機器５３２は、入力インタフェース、デバイスおよび回路、ならびに出力インタフェース、デバイスおよび回路を含み得る。ユーザインタフェース装置５３２は、ＷＤ５１０への情報の入力を可能にするように構成され、処理回路５２０に接続されて、処理回路５２０が入力情報を処理することを可能にする。ユーザインタフェース機器５３２は例えば、マイクロフォン、近接または他のセンサ、キー／ボタン、タッチディスプレイ、１つ以上のカメラ、ＵＳＢポート、または他の入力回路を含むことができる。また、ユーザインタフェース装置５３２はＷＤ５１０からの情報の出力を可能にし、処理回路５２０がＷＤ５１０からの情報を出力できるように構成される。ユーザインタフェース機器５３２は例えば、スピーカ、ディスプレイ、振動回路、ＵＳＢポート、ヘッドホンインタフェース、または他の出力回路を含み得る。ＷＤ５１０はユーザインタフェース機器５３２の１つまたは複数の入出力インタフェース、デバイス、および回路を使用して、エンドユーザおよび／または無線ネットワークと通信し、本明細書で説明する機能性からの利益をエンドユーザおよび／または無線ネットワークに与えることができる。
【０１０８】
補助装置５３４は、ＷＤによって一般に実行されない可能性があるより具体的な機能を提供するように動作可能である。これは、様々な目的のために測定を行うための専用センサ、有線通信などの追加の種類の通信のためのインタフェースを含むことができる。補助装置５３４の構成要素の包含およびタイプは、実施形態および／またはシナリオに応じて変わり得る。
【０１０９】
電源５３６は、一部の実施形態ではバッテリまたはバッテリパックの形態であってもよい。外部電源（例えば、電気コンセント）、光起電力デバイス、またはパワーセルなどの他のタイプの電源も使用することができる。ＷＤ５１０はさらに、電源５３６からの電力を、電源５３６からの電力を必要とするＷＤ５１０の種々の部分に送り、本明細書に記載または示される任意の機能を実行するための電力回路５３７を備えてもよい。電力回路５３７は、特定の実施形態では電力管理回路を備えることができる。電力回路５３７は追加的または代替的に、外部電源から電力を受け取るように動作可能であってもよく、その場合、ＷＤ５１０は、入力回路または電力ケーブルなどのインタフェースを介して、外部電源（電気コンセントなど）に接続可能であってもよい。また、特定の実施形態では、電力回路５３７が外部電源から電源５３６に電力を送達するように動作可能であってもよい。これは、例えば、電源５３６の充電のためであってもよい。電力回路５３７は電力が供給されるＷＤ５１０のそれぞれの構成要素に適した電力にするために、電源５３６からの電力に対して、任意のフォーマット、変換、または他の修正を実行することができる。
【０１１０】
本明細書で開示される任意の適切なステップ、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにデジタルシグナルプロセッサ（ＤＳＰ）、専用デジタルロジックを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つ以上のタイプのメモリを含むことができる、メモリに格納されたプログラムコードを実行するように構成することができる。メモリに格納されたプログラムコードは、１つ以上の電気通信および／またはデータ通信プロトコルを実行するためのプログラム命令、ならびに本明細書で説明される技術のうちの１つ以上を実行するための命令を含む。幾つかの実装形態では、処理回路が本開示の１つ以上の実施形態に従って、それぞれの機能ユニットに対応する機能を行わせるために使用されてもよい。
【図１】
2021520680.tif 000003
【図２】
2021520680.tif 000004
【図３】
2021520680.tif 000005
【図４】
2021520680.tif 000006
【図５】
2021520680.tif 000007
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）において１つ以上のネットワークノード（５６０）からの通信を処理する方法であって、
接続状態で動作しているユーザ装置（５１０）によって、ネットワークノードから無線リソース制御（ＲＲＣ）リリースメッセージを受信すること（１００、２００、３０２）と、
前記ＲＲＣリリースメッセージ内の指示であって、前記ＲＲＣリリースメッセージ内のサスペンドコンフィギュレーションフィールドの存在または不在を含む前記指示に基づいて、ユーザ装置を非アクティブ状態またはアイドル状態にサスペンドすべきかどうかを決定すること（１０２、２０２、３０４）と、
前記指示が非アクティブ状態にサスペンドするものであると判定することに応じて、前記ユーザ装置を前記非アクティブ状態へと遷移させること（１０８、２０８、３０６）と、
を含むことを特徴とする方法。
【請求項２】
請求項１に記載の方法であって、前記ユーザ装置を前記非アクティブ状態へとサスペンドするための前記指示は、前記ＲＲＣリリースメッセージ内のサスペンドコンフィギュレーションフィールドの前記存在を含むことを特徴とする方法。
【請求項３】
請求項１に記載の方法であって、前記ユーザ装置を前記アイドル状態へとサスペンドする前記指示は、前記ＲＲＣリリースメッセージ内にサスペンドコンフィギュレーションフィールドの前記不在を含むことを特徴とする方法。
【請求項４】
請求項１に記載の方法であって、前記サスペンドコンフィギュレーションフィールドは、前記非アクティブ状態に対応するコンフィギュレーションを指示することを特徴とする方法。
【請求項５】
請求項１に記載の方法であって、
前記サスペンドコンフィギュレーションフィールドによって指示されるサスペンドコンフィギュレーションに対応するデルタシグナリングを適用することをさらに含むことを特徴とする方法。
【請求項６】
請求項５に記載の方法であって、デルタシグナリングを適用することが、
前記サスペンドコンフィギュレーションフィールドによって指示される、変更されたサスペンドコンフィギュレーション情報を受信することと、
前記ユーザ装置に以前に格納されたサスペンドコンフィギュレーション情報から変更されていないサスペンドコンフィギュレーション情報へアクセスすることと、
を含むことを特徴とする方法。
【請求項７】
請求項５に記載の方法であって、前記サスペンドコンフィギュレーションがＲＡＮ通知エリア（ＲＮＡ）情報を含むことを特徴とする方法。
【請求項８】
請求項１に記載の方法であって、前記非アクティブ状態への前記ユーザ装置の前記遷移は、ロングタームエボリューション（ＬＴＥ）ネットワークから５Ｇコアネットワークへの前記ユーザ装置の接続中に実行されることを特徴とする方法。
【請求項９】
無線アクセスネットワーク（ＲＡＮ）において通信を提供するためにネットワークノード（５６０）によって実行される方法であって、
接続状態で動作しているユーザ装置（５１０）に無線リソース制御（ＲＲＣ）メッセージを提供すること（４０２）と、
前記ＲＲＣリリースメッセージ内の指示であって、前記ＲＲＣリリースメッセージ内のサスペンドコンフィギュレーションフィールドの存在または不在を含む前記指示に基づいて、前記ユーザ装置の非アクティブ状態またはアイドル状態へのサスペンドをトリガすること（４０４）と、
非アクティブ状態へサスペンドするための前記指示に応答して、前記ユーザ装置を前記非アクティブ状態に遷移させること（４０６）と、
を含むことを特徴とする方法。
【請求項１０】
請求項９に記載の方法であって、前記ユーザ装置を前記非アクティブ状態にサスペンドするための前記指示は、前記ＲＲＣリリースメッセージ内のサスペンドコンフィギュレーションフィールドの前記存在を含むことを特徴とする方法。
【請求項１１】
請求項９に記載の方法であって、前記ユーザ装置を前記アイドル状態へサスペンドするための前記指示は、前記ＲＲＣリリースメッセージ内にサスペンドコンフィギュレーションフィールドの前記不在を含むことを特徴とする方法。
【請求項１２】
請求項９に記載の方法であって、前記サスペンドコンフィギュレーションフィールドは、前記非アクティブ状態に対応するコンフィギュレーションを指示することを特徴とする方法。
【請求項１３】
請求項９に記載の方法であって、
前記サスペンドコンフィギュレーションフィールドによって指示されるサスペンドコンフィギュレーションに対応するデルタシグナリングを適用することをさらに含むことを特徴とする方法。
【請求項１４】
請求項１３に記載の方法であって、デルタシグナリングを適用することは、
前記サスペンドコンフィギュレーションフィールドによって指示される、変更されたサスペンドコンフィギュレーション情報を提供することをさらに含み、前記ユーザ装置は前記ユーザ装置に以前に格納されたサスペンドコンフィギュレーション情報から変更されていないサスペンドコンフィギュレーション情報へアクセスすることを特徴とする方法。
【請求項１５】
請求項１３に記載の方法であって、前記サスペンドコンフィギュレーションは、ＲＡＮ通知エリア（ＲＮＡ）情報を含むことを特徴とする方法。
【請求項１６】
請求項９に記載の方法であって、前記非アクティブ状態への前記ユーザ装置の前記遷移は、ロングタームエボリューション（ＬＴＥ）ネットワークから５Ｇコアネットワークへの前記ユーザ装置の接続中に実行されることを特徴とする方法。
【請求項１７】
コンピュータ可読プログラムコードを含むコンピュータプログラムであって、前記コンピュータ可読プログラムコードは、処理回路（５２０）によって実行されると請求項１から８のいずれか１項に記載の方法を実行するように動作可能であることを特徴とするコンピュータプログラム。
【請求項１８】
コンピュータ可読プログラムコードを含むコンピュータプログラムであって、前記コンピュータ可読プログラムコードは、処理回路（５７０）によって実行されると請求項９から１６のいずれか１項に記載の方法を実行するように動作可能であることを特徴とするコンピュータプログラム。
【請求項１９】
無線アクセスネットワーク（ＲＡＮ）における通信を処理するためのシステムであって、
請求項１から請求項８のいずれか１項に記載の方法を実行するように構成された処理回路（５２０）を含む無線装置（５１０）と、
無線装置（５１０）に通信可能に結合され、請求項９から１６のいずれか１項に記載の方法を実行するように構成された処理回路（５７０）を含むネットワークノード（５６０）と、
を含むことを特徴とするシステム。
【国際調査報告】
2021520680.tif 000008
2021520680.tif 000009